(57)【要約】      （修正有）【課題】カブトムシやクワガタムシの捕食等の活動が活発となる夜間における一定の時間的経過により、昆虫類を誘引捕獲することが可能な昆虫採集器を提供する。【解決手段】昆虫採集器本体１にメッシュシート９を張り合わせ、本体１正面に空けた虫進入開口部６とねずみ返し付虫止まり板８を本体１内部に折り曲げた構造を提供し、誘引した昆虫を高確率に昆虫捕獲室１５に捕獲可能とする。網状の底板１７と本体底部開口部１６を脱着自在とするため底板固定ゴム１３で固定することにより捕獲した昆虫を自在に取り出せ、かつ本体１を長時間衛生的に維持できる構造により、従来の実際に現場に行きリアルタイムに採集するオーソドックスな採集以外の昆虫採集が実現可能となる。【選択図】図１
0003148940.tif 000002
【実用新案登録請求の範囲】
【請求項１】
虫進入開口部を有する筒状容器の表面にメッシュシートを前記虫進入開口部に隣接して設けたことを特徴とする昆虫採集器。
【請求項２】
樹液発酵臭が前記筒状容器内に導かれるように、樹木と接触する前記筒状容器の背面に通気孔を設けたことを特徴とする請求項１に記載の昆虫採集器。
【請求項３】
前記筒状容器の内部に、昆虫の餌入れ容器を着脱自在に設けたことを特徴とする請求項１又は２に記載の昆虫採集器。
【請求項４】
前記筒状容器に、集虫光照明装置を設けたことを特徴とする請求項１ないし請求項３のいずれかに記載の昆虫採集器。
【請求項５】
前記筒状容器に、樹木その他の被装着部材に装着するための伸縮自在の係止部材を備えたことを特徴とする請求項１ないし請求項４のいずれかに記載の昆虫採集器。
【請求項６】
前記虫進入開口部に、該開口部縁を前記筒状容器本体の内部に折り曲げて形成した内部折曲ねずみ返し部を有することを特徴とする請求項１ないし請求項５のいずれかに記載の昆虫採集器。
【請求項７】
前記虫進入開口部の下縁に、前記メッシュシート上縁に近接して虫止まり板を設けたことを特徴とする請求項１ないし請求項６のいずれかに記載の昆虫採集器。
【請求項８】
前記筒状容器の底部に着脱自在の底板を設けたことを特徴とする請求項１ないし請求項７のいずれかに記載の昆虫採集器。
【請求項９】
前記底板を一定の間隔を有する網状もしくは桟状としたことを特徴とする請求項８に記載の昆虫採集器。
【考案の詳細な説明】
【技術分野】
【０００１】
本考案は昆虫採集器に関するものである。
【背景技術】
【０００２】
昆虫採集は、従来より昼夜を問わず虫取り網を用い、リアルタイムで実際に捕獲するオーソドックスな方法が主流である。一方では餌を樹木等に付着させた後、それに集まる昆虫を捕獲する方法、さらには照明器具を設置しその光に飛来する昆虫を捕獲する各種様々な方法が存在する。しかしながら、実際には夜間捕食等活発な行動をする昆虫に時間を合わせた採集活動は幾多の場面において危険が伴い、カブトムシやクワガタムシなどの昆虫に遭遇することは一時的でしかなく、その時間的制約があるため、非効率な面が多い。
【０００３】
これまでの昆虫採集は、実際に現場に赴き、捕獲採集する楽しみ方と仕掛けを設置してから現場に居ながら各種仕掛けに集まる昆虫を採集する楽しみ方がある。しかし昆虫の特性を活かした採集方法で、一定時間を「待つ楽しみ方」と「期待感」を醸成する昆虫採集器がこれまでに存在しなかった。
【０００４】
上記の問題を解決するものに特許文献「昆虫採集BOX」（特開2001−211804、以下、特許文献1という））があるが、当該ＢＯＸ本体の開口部が上方にある形状であるため樹木からの落下物あった場合、虫進入開口部を塞ぐことが予想されうる。また、カブトムシやクワガタムシを採集する時期は夕立など荒天に発展する天候が予測され、こうした雨水が本体に浸水すれば、捕獲した昆虫類をBOX内部で昆虫類を死滅させる一因ともなりうるし、かつ通気性が悪いため、不衛生であるとも推測される。
【考案の開示】
【考案が解決しようとする課題】
【０００５】
（１）上記のオーソドックスな昆虫採集方法では現場にいることが余儀なくされる。一方、餌を木に付着させた方法での昆虫採集は、当然のことながらその時点で捕獲できなければ、いなくなってしまう可能性は非常に高い。当該課題を解決するため、日照時に本採集器を昆虫の出没しそうな樹木等に設置後放置し、カブトムシやクワガタムシの捕食等の活動が活発となる夜間における一定の時間的経過により、昆虫類を誘引捕獲することが可能となり、これまでの昆虫採集方法の欠点を解決しようとするものである。
【０００６】
（２）上記の特許文献１の特長のひとつに本体上方に虫進入開口部があるが、風などによる要因で落ち葉や落下物があれば当該開口部を塞いでしまう恐れがある。さらに天候が雨の場合は捕獲した昆虫は雨水などがＢＯＸ内部に溜まり死滅してしまうことも考えられる。
本考案はこうした課題を解決しようとするものである。
【課題を解決するための手段】
【０００７】
本考案は、虫進入開口部を有する筒状容器の表面にメッシュシートを前記虫進入開口部に隣接して設けること（請求項１）を要件とし、更に樹木より発せられる樹液発酵臭が前記筒状容器内に導かれるように、樹木と接触する本考案筒状容器の背面に通気孔を設けること（請求項2）を要件とする。更に前記筒状容器の内部に、昆虫の好む餌を入れるための容器を着脱自在に設けること（請求項3）を要件とし、本考案筒状容器に集虫光照明装置を設けること（請求項4）を要件とする。更に前記筒状容器に樹木その他被装着部材に装着するための伸縮自在の係止部材を備えたこと（請求項5）を要件とし、更に前記虫進入開口部に該開口部縁を前記筒状本体内部に折り返して形成した「ねずみ返し部」を有すること（請求項6）を要件とする。更に前記虫進入開口部の下縁に、前記メッシュシート上縁に近接して虫止まり板（ねずみ返し形状）を有すること（請求項7）を要件とし、前記筒状容器の底部に捕獲した着脱自在の底板を設けること（請求項8）を要件とする。更に一定の間隔を有する網状もしくは桟状とした前記底板を設けること（請求項9）を要件とする。
【０００８】
上記において、昆虫類の上方へ歩行する特性を利用して虫進入開口部に効率よく誘引することができる。最初に昆虫を本体に引き付ける要因に前記筒状容器内部に虫が好む餌を入れた餌入容器、また夜行性である昆虫の光へ集まる特性により、光を発する装置を具備する。さらに、より自然な樹木からの樹液発酵臭が発散される部位に本考案採集器背面通気孔を覆うように密着させることにより、本体内部へ樹液発酵臭を導き、虫進入開口部より外部へ発散できることから、本体を設置した場所から広範囲に昆虫類に対するアピール効果と誘引力が増し、相乗効果が得られる。上記採集器本体内部に充満した芳香は、構造上本体側面に翼板のある通気孔を設けたことから、外部の自然風による力も加わると当然に効果が高まる構造を提供している。
【０００９】
本考案昆虫採集器により、本体に誘引された昆虫類は、まず本体メッシュシート部分に飛来し、本体内部の芳香臭や光の近くへ歩行し、虫進入開口部下縁虫止まり板に移動する。その後、昆虫は虫進入開口部左右縁に形成したねずみ返し部に足を引っ掛けることにより、その部位左右どちらかの内部折曲ねずみ返し部を起点に重心が移動、当該部位を伝わり、上方へ移動を開始することとなる。その際、内部折曲ねずみ返し部は摩擦がない形質のため、高確率に本体底部昆虫捕獲室に落下することとなる。
【００１０】
捕獲した昆虫類を取り出すため、伸縮自在のゴムで固定している底板を下方に引いたまま手前もしくは反対側にずらすことにより、捕獲した昆虫を容易に取り出すことができ採集が可能となる。
【考案の効果】
【００１１】
本考案は、上記のように構成したので概略以下のような効果を奏する。
（１）本考案昆虫採集器は昆虫の持つ特性を活かした構造のため、従来のリアルタイムで採集する方法等、一時的にしか行えなかった昆虫採集活動のほかに、本考案をもってすれば、設置後一定の時間的経過によりごく自然に、かつ高確率で本昆虫採集器に昆虫を捕獲することが実現可能となる。
（２）捕獲した昆虫を長時間にわたり本昆虫採集器に滞在させることが可能で、良好な衛生状態が保持できる。
（３）伸縮自在の係止部材が本昆虫採集器背面に具備されているため、樹木その他被装着部材への本昆虫採集器がその状況において豊富な取り付け設置方法が可能となる。
（４）脱着式餌入容器には、昆虫の好む固形・液状問わない餌がセッティングできるため、その状況によって豊富な組み合わせが可能となり、昆虫の誘引効果が高まる。
（５）本昆虫採集器を透明な容器にした場合は、集虫光照明装置の光がより外部へ広角に発するためアピール効果が増す。
（６）捕獲した昆虫は逃避行動を起こすが、本採集器虫進入開口部に隣接した虫とまり板が邪魔をする構造のため、本採集器昆虫捕獲室に捕獲された後は逃げることは困難となり捕獲確率性の高い採集が実現できる。
（７）本昆虫採集器底部開口部は網状の底板と、本体に接する各部材が脱着可能なため、本昆虫採集器の清掃が容易であり、携行性に優れ衛生的にも良好な状態のまま保管できる。
（８）本昆虫採集器を一定時間放置することにより、実際に夜間の採集活動時における危険（野生動物の遭遇等）が回避でき危険要因が減少するため、安全な昆虫採集が可能となる。
【考案を実施するための最良な形態】
【００１２】
昆虫採集器背面にある通気孔を樹木から樹液が出ている部位を覆うように本考案昆虫採集器を本体固定ゴムひもハンガーにて樹液の出ている樹木表面の凹凸部に引っ掛け固定する。
昆虫類の誘引効率を一層高めるため、本体内部に具備した脱着自在な餌容器に昆虫が好む餌を入れ、さらに夜行性である昆虫に広くアピールするため集虫光照明装置の電源を入れ、本昆虫採集器を夜間の一定期間設置放置する。
【実施例】
【００１３】
以下、添付図に従って一実施例を説明する。昆虫採集器本体1（以下本体1）は耐久性のプラスチック等適宜素材にて筒状に形成された昆虫採集器本体であり、2はその本体を携行、持ち運びするための取っ手である。本体1には昆虫の捕獲に欠かせない昆虫の好む餌を入れた脱着式餌入容器4を本体1に餌入容器固定枠5にて固定し、夜間の場合は、夜行性である昆虫類に広くアピール効果を得るため本体1正面には集虫光照明装置3を具備する。さらに昆虫の好むより自然な樹木から発散される樹液発酵臭を本体1に導かれるように背面通気孔翼板22が付いた背面通気孔21を、樹木23の樹液が出ている樹木部位に覆うように本体固定ゴムひもハンガー19を樹木幹表面凹凸部に引っ掛け固定する。
虫進入開口部6から上記脱着式餌入容器4と前記樹木から発せられる樹液発酵臭は本体1に充満する。ここで、天候による外部環境（無風時の場合を除く）により、本体1側面両側に具備した側面通気孔翼板11を設けた本体側面通気孔10より風が本体内部に導かれ、虫進入開口部6より、上記芳香が発散されることとなる。
本体1を設置してから一定時間が経過すると、メッシュシート9を接着した本体1に昆虫が飛来してくる。その昆虫はより強い芳香のする本体内部へ近づこうとメッシュシート9を伝い、虫進入開口部6下縁に具備したねずみ返し付虫止まり板8に到達する。当該昆虫はより内部に進入しようと足の爪を使って、虫進入開口部左右どちらかに内部折曲ねずみ返し部7に昆虫の足を引っ掛けることとなる。ここでねずみ返し付虫止まり板8と内部折曲ねずみ返し部7の間には昆虫の爪を使っての支えるなんらかの支柱もしくは対象物が無い。いったん内部折曲ねずみ返し付虫止まり板8から内部折曲ねずみ返し部7に足をかけた昆虫は虫進入開口部6左右辺のどちらかに重心が移動し内部折曲ねずみ返し部7にしがみつく態勢となる。
その後、当該昆虫は特性により上方へ歩行するも、なんら引っ掛かりのない形質の内部折曲ねずみ返し部7から底部昆虫捕獲室15に落下する結果となる。
底部昆虫捕獲室15は、本体下部に具備した網状底板固定ゴム13により網状底板17を底部開口部16に蓋をする形で密着固定させている。底板固定ゴム13は本体片側側面に固定するため底板固定ゴム留棒12にてゴムが外れないように本体1内側より固定している。また、本体反対側側面には底板固定ゴム13を受け留めるための切り込み部となる底板固定ゴム留受切込部14を設けている。底板固定ゴム13はゴムの伸縮する力により網状底板17を上方に押し上げ本体底部開口部16に蓋をする具合に設置している。
捕獲した昆虫は、底板取っ手18をつまみ、下方に引いたまま、手前若しくは反対側にずらすことにより、容易に当該昆虫の取り出しが自在可能となる。
本体1未使用時は本体1背面に具備した本体固定ゴムひもハンガー19が縺れ絡まないよう本体1背面に穴を設け、図5で示したように未使用時固定ゴムひもハンガーレスト穴20として使用し、本体1の持ち運びや収納に便利に役立てる構造となっている。
【図面の簡単な説明】
【００１４】
【図１】本考案の昆虫採集器の実施例を示す斜視図である。
【図２】本体内部を示す一部切欠断面図である。
【図３】本体背面を示す図である。
【図４】本体捕獲室及び底部を示す斜視図である。
【図５】本体未使用時の状態を示す背面斜視図である。
【図６】本体を樹木に設置した状態を示す斜視図である。
【符号の説明】
【００１５】
1  昆虫採集器本体
2  本体取っ手
3  集虫光照明装置
4  脱着式餌入容器
5  餌入容器固定枠
6  虫進入開口部
7  内部折曲ねずみ返し部
8  ねずみ返し付虫止まり板
9  メッシュシート
10  側面通気孔
11  側面通気孔翼板
12  底板固定ゴム留棒
13  底板固定ゴム
14  底板固定ゴム留受切込部
15  底部昆虫捕獲室
16  本体底部開口部
17  網状底板
18  底板取っ手
19  本体固定ゴムひもハンガー
20  未使用時固定ゴムハンガーレスト穴
21  背面通気孔
22  背面通気孔翼板
23  樹木
【図１】
0003148940.tif 000003
【図２】
0003148940.tif 000004
【図３】
0003148940.tif 000005
【図４】
0003148940.tif 000006
【図５】
0003148940.tif 000007
【図６】
0003148940.tif 000008